(57)【要約】【課題】複数の着座姿勢を有する幼児搬送装置を提供する。【解決手段】本幼児搬送装置は、支持フレームと、該支持フレームに接続された座席組立体と、背もたれ枠を含む背もたれ組立体とを備える。該座席組立体は第１座席枠と第２座席枠とを含み、該第２座席枠は広げた位置と折り畳み位置の間を該第１座席枠に対して回転するよう動作可能である。該背もたれ枠は枢軸の周りを該支持フレームに対して回転するよう動作可能であり、該第２座席枠は、該折り畳み位置において該背もたれ枠にほぼ平行で隣接している。該第２座席枠を便利にも該背もたれ枠に隣接した使用不可状態に折り畳むことが出来るので、該第２座席枠の誤った使用を防止できる。【選択図】図１
2011143920.tif 000002
【特許請求の範囲】
【請求項１】
支持フレームと、
該支持フレームに接続された座席組立体と、
背もたれ組立体と
を備え、
該座席組立体は第１座席枠と第２座席枠とを含み、該第２座席枠は広げた位置と折り畳み位置の間を該第１座席枠に対して回転するよう動作可能であり、
該背もたれ組立体は背もたれ枠を含み、該背もたれ枠は枢軸の周りを該支持フレームに対して回転するよう動作可能であり、
該第２座席枠は、該折り畳み位置において該背もたれ枠にほぼ平行で隣接している、幼児搬送装置。
【請求項２】
前記第２座席枠は、前記背もたれ枠の前記枢軸の周りを回転するよう動作可能であり、該背もたれ枠の調整時、該背もたれ枠と一緒に回転可能である請求項１に記載の幼児搬送装置。
【請求項３】
前記枢軸は前記背もたれ枠の側部を貫通し、前記第２座席枠は、ずれた位置で結合要素を介して該枢軸に回動可能に結合されている請求項２に記載の幼児搬送装置。
【請求項４】
前記背もたれ枠は、該背もたれ枠を特定の傾斜角で保持するために保持ベースと係合するよう可動な係合部を含む請求項１に記載の幼児搬送装置。
【請求項５】
前記第２座席枠が前記広げた位置にある時、該第２座席枠は前記保持ベースによりロックされる請求項４に記載の幼児搬送装置。
【請求項６】
前記背もたれ枠は、前記係合部を前記保持ベースと係合させるか、又は該保持ベースから解放するか自身が沿って移動可能な第１長さ方向軸を有する請求項４に記載の幼児搬送装置。
【請求項７】
前記背もたれ枠は、前記係合部を前記保持ベースとロック係合するよう付勢するよう動作可能な第１バネ要素を更に含む請求項６に記載の幼児搬送装置。
【請求項８】
前記背もたれ枠は、前記第２座席枠を前記折り畳み位置に保持するために該第２座席枠の移動を阻止するよう動作可能である請求項４に記載の幼児搬送装置。
【請求項９】
前記第２座席枠は、前記背もたれ枠と阻止干渉する第１位置と、該背もたれ枠との阻止干渉から外れた第２位置との間を自身が沿って移動可能な第２長さ方向軸を有する請求項８に記載の幼児搬送装置。
【請求項１０】
前記第２座席枠は、該第２座席枠を前記第１位置の方へ付勢するよう動作可能な第２バネ要素を含む請求項９に記載の幼児搬送装置。
【請求項１１】
前記背もたれ枠は、前記第２座席枠が前記第１位置にある時、該第２座席枠と阻止干渉する末端を有する請求項９に記載の幼児搬送装置。
【請求項１２】
前記背もたれ枠が特定の傾斜角にロックされている時、前記第２座席枠を前記第１位置から前記第２位置へ変位させると、該第２座席枠は該背もたれ枠の前記末端との阻止干渉から外れ、次に該背もたれ枠に対する該第２座席枠の回転が可能になる請求項１１に記載の幼児搬送装置。
【請求項１３】
前記第１座席枠は前部座席を構成し、前記第２座席枠は後部座席を構成する請求項１に記載の幼児搬送装置。
【請求項１４】
前記背もたれ枠と前記第２座席枠はそれぞれ、背もたれ部材と後部座席部材を構成するクッション要素を備える請求項１に記載の幼児搬送装置。
【請求項１５】
前記支持フレームは押しハンドルを含み、外部側面パネルが前記背もたれ部材の側端と該押しハンドルの側部の間に接続されている請求項１４に記載の幼児搬送装置。
【請求項１６】
内部側面パネルが前記背もたれ部材の側端と前記後部座席部材の対応する側端の間に接続されている請求項１５に記載の幼児搬送装置。
【請求項１７】
前記後部座席部材は、前記折り畳み位置において留め具により前記背もたれ部材に隣接して保持される請求項１５に記載の幼児搬送装置。
【請求項１８】
前記留め具は前記外部側面パネル上に設けられた第１留め部材と、前記後部座席部材上に設けられ該第１留め部材に取り付けられるのに適合した第２留め部材とを含む請求項１７に記載の幼児搬送装置。
【請求項１９】
前記後部座席部材が前記広げた位置にある時、前記外部及び内部側面パネルは概ね平行に伸ばされており、該内部側面パネルは前記第１留め部材を覆っている請求項１８に記載の幼児搬送装置。
【請求項２０】
前記後部座席部材が前記背もたれ部材に隣接した前記折り畳み位置にある時、前記外部側面パネルは該背もたれ部材と該後部座席部材の間に折り畳まれ、前記第２留め部材は該後部座席部材の側端の周りに巻かれて前記第１留め部材に取り付けられる請求項１８に記載の幼児搬送装置。
【発明の詳細な説明】
【技術分野】
【０００１】
本発明は、幼児搬送装置、特に、複数の着座姿勢を有する幼児搬送装置に関する。
《関連する出願への相互参照》
本出願は、２０１０年１月１５日付で出願した中国特許出願第２０１０１０００２９８８．７号に基づく優先権を主張するものである。
【背景技術】
【０００２】
ベビーカーは、一般に車輪を備えた支持フレームと、座席組立体と、ハンドル組立体とからなる。子供を座席に座らせた後、親は該ハンドルを使用してベビーカーを押して移動させることが出来る。従来のベビーカーでは、通常、該座席組立体はベビーカーの移動方向における前方に向いている。ベビーカーに座っている子供は親と対面していないので、子供と親との対話ができない。
【発明の概要】
【発明が解決しようとする課題】
【０００３】
上記欠陥を直すために、幾つかの現在の手法は、例えば前向きと後向き、２つの着座構成を収容できる着座スペースを備えたベビーカーの構造を提案している。これらのベビーカーは通常、前座席と後座席とを備え、背もたれの向きを前後に調整できる。従って、子供を後方に向いた後部座席に座らせ親と対面させるか、前方に向いた前部座席に座らせ親と対面しないか、選択できる。これらのベビーカーは複数の着座構成が可能であるが、前部座席と後部座席を収容するためにより大きなスペースを必要とし、これがベビーカーの収納に不利になる可能性がある。また、ベビーカーが実際には子供を前向きに着座させるよう構成されているのに、誤って子供を後向きに後部座席に着座させる可能性がある。
【０００４】
従って、複数の着座姿勢を有し、少なくとも下記の問題に対処することが出来る幼児搬送装置が必要とされている。
【課題を解決するための手段】
【０００５】
本発明は複数の着座姿勢を有する幼児搬送装置を開示する。この幼児搬送装置は、使用者の必要に合うよう背もたれと座席組立体との向きを調整するために便利に且つ容易に操作できる。
【０００６】
１つの実施形態では、本幼児搬送装置は支持フレームと、該支持フレームに接続された座席組立体と、背もたれ枠を含む背もたれ組立体とを備える。該座席組立体は第１座席枠と第２座席枠とを含み、該第２座席枠は広げた位置と折り畳み位置の間を該第１座席枠に対して回転するよう動作可能である。該背もたれ枠は枢軸の周りを該支持フレームに対して回転するよう動作可能であり、該第２座席枠は、該折り畳み位置において該背もたれ枠にほぼ平行で隣接している。
【０００７】
本明細書で説明する構造の少なくとも１つの利点は、便利にも該第２座席枠を該背もたれ枠に隣接した使用不可状態に折り畳むことが出来、該第２座席枠の誤った使用を防止できることである。
【図面の簡単な説明】
【０００８】
【図１】幼児搬送装置の１つの実施形態を例示する概略図である。
【図２】図１に示す装置の背もたれ枠と第２座席枠と保持ベースとの組み立て方を例示する展開図である。
【図３】本幼児搬送装置が子供を前向きに着座させるための構成である時の第２座席枠の折り畳み位置を示す概略図である。
【図４】後方傾斜姿勢に調整された背もたれ枠を示す概略図である。
【図５】第２座席枠が背もたれ枠に隣接した折り畳み位置から背もたれ枠から離れた広げた位置へ切り替えられる様子を示す概略図である。
【図６】第２座席枠が背もたれ枠に隣接した折り畳み位置から背もたれ枠から離れた広げた位置へ切り替えられる様子を示す概略図である。
【図７】子供を後向きに着座させるための構成にある本幼児搬送装置を例示する概略図である。
【図８】追加の安全機構を備えた本幼児搬送装置を例示する概略図である。
【図９】追加の安全機構を備えた本幼児搬送装置を例示する概略図である。
【発明を実施するための形態】
【０００９】
本発明は複数の着座姿勢を有する幼児搬送装置を開示する。この幼児搬送装置は、使用者の必要に合うよう背もたれと座席組立体との向きを調整するために便利に且つ容易に操作できる。幼児搬送装置の例は、これらに限定されないが、ベビーカー、車の座席、子供用ブランコ、揺り子などを含む。
【００１０】
図１は幼児搬送装置１００の実施形態を例示する概略図である。この代表的な実施形態はベビーカーである。幼児搬送装置１００は支持フレーム１０２と、座席組立体１０４と、背もたれ組立体１０５とを備えてよい。
【００１１】
支持フレーム１０２はＵ字形押しハンドル１０８と、２つの肘かけ１１０と、前脚１１２と、後脚１１４と、複数の車輪１１６とを備えてよい。１つの実施形態では、押しハンドル１０８は後脚１１４にそれぞれ接続された２つの側部を有してよい。各肘かけ１１０は押しハンドル１０８の対応する側部に接続された後端又は第１端１１０Ａと、対応する前脚１１２及び後脚１１４の上端に接続された前端又は第２端１１０Ｂとを有してよい。横棒１１８が２つの肘かけ１１０の間に接続され、車輪１１６は前脚１１２及び後脚１１４の下端に設けられている。
【００１２】
図１に示すように、座席組立体１０４は支持フレーム１０２と共に組み立てられている。１つの実施形態では、座席組立体１０４は第１座席枠１３２と第２座席枠１３４とを備えてよい。第１座席枠１３２は子供を前向き姿勢に着座させるために使用する前部座席であってよい。第２座席枠１３４は子供を後向き姿勢に着座させるための後部座席であってよい。また、第１及び第２座席枠１３２、１３４は快適な座り心地を提供するためのクッション部材、布などの柔軟な部材（不図示）を備えてよい。
【００１３】
１つの実施形態では、第１座席枠１３２は典型的には２つの支持棒１３６から成る。各支持棒１３６は、支持フレーム１０２の左又は右側部に接続された前端１３６Ａと、保持ベース１４０に取り付けられた後端１３６Ｂとを有してよい。
【００１４】
第２座席枠１３４はＵ字形管部材１３８により形成される。第２座席枠１３４の左側部及び右側部１３４Ａは保持ベース１４０にそれぞれ回動可能に結合される。これにより第２座席枠１３４は回動軸Ｘの周りを回転し、背もたれ組立体１０５に隣接した折り畳み位置（図１に示す）か、又は子供を後向きに着座させるための広げた位置（図７に示す）に切り替えることが出来る。
【００１５】
図１を再び参照すると、背もたれ組立体１０５は背もたれ枠１２６を含んでよい。背もたれ枠１２６は快適な背もたれを提供するためのクッション、布包などの柔軟な部材（不図示）を備えてよい。１つの実施形態では、背もたれ枠１２６は、第１座席枠１３２に回動可能に結合された左側部及び右側部１２６Ａを有するＵ字形管部材から成る。これにより、背もたれ枠１２６を座席組立体１０４（特に第１座席枠１３２）に対して回動させて様々な傾斜角に調整できる。例えば、幼児搬送装置１００を前向き構成に切り替える時、背もたれ枠１２６を後方傾斜位置（図１に示す）に調整できる。幼児搬送装置１００を後向き構成に切り替える時、背もたれ枠１２６を前方傾斜位置（図７に示す）に調整できる。また、背もたれ枠１２６の左側及び右側末端はそれぞれ、保持ベース１４０と係合し背もたれ枠１２６を様々な傾斜角に保持することが出来る係合部１２６Ｂを有している。
【００１６】
支持フレーム１０２の左側部及び右側部にそれぞれ保持ベース１４０を取り付けることが出来る。背もたれ枠１２６と第２座席枠１３４を保持ベース１４０に可動に接続することが出来る。これにより背もたれ組立体１０５と第２座席枠１３４を前向き構成と後向き構成の間で切り替えることが出来る。
【００１７】
図２は背もたれ枠１２６と第２座席枠１３４と保持ベース１４０との組み立て方を例示する展開図である。保持ベース１４０は概ね半円形ケーシング１４２から成っていてよい。ケーシング１４２は、ケーシング１４２の第１側面１４２Ａの側が開いた空洞１４４を有してよい。ケーシング１４２は、少なくとも部分的に空洞１４４の上側と下側をそれぞれ画定する上部１４５と下部１４６を有してよい。下部１４６は背もたれ枠１２６の回転軸の周りに異なる半径方向に配置された複数のロック溝１４６Ａを備える。ケーシング１４２の第１側面１４２Ａと反対側の第２側面１４２Ｂは、第１座席枠１３２の支持棒１３６が挿入されて固定可能な隆起部１４８を備えてよい。
【００１８】
背もたれ枠１２６の側部１２６Ａは、上部１４５を貫通して空洞１４４内に差し入れられる。枢軸１５０（例えば、リベット、ピン等）が側部１２６Ａとケーシング１４２とに通されて背もたれ枠１２６とケーシング１４２を回動可能に接続する。これにより背もたれ枠１２６は、枢軸１５０により規定された回動軸Ｘの周りを第１座席枠１３２及び保持ベース１４０に対して回転可能である。
【００１９】
図２を再び参照すると、背もたれ枠１２６の側部１２６Ａがケーシング１４２の空洞１４４を通って接続された時、背もたれ枠１２６の末端の係合部１２６Ｂは横方向に第１側面１４２Ａからケーシング１４２外へ突出する。また、背もたれ枠１２６の側部１２６Ａは枢軸１５０が挿入される細長いガイドスロット１５２を備える。背もたれ枠１２６の側部１２６Ａ内に組み込まれたバネ要素１５４は、枢軸１５０に接続された第１端と、側部１２６Ａに固定された第２端とを有する。枢軸１５０がガイドスロット１５２を貫通した状態で、背もたれ枠１２６は、回動軸Ｘの周りの回転に加えて長さ方向軸Ｚに平行に保持ベース１４０に対して移動可能である。従って、背もたれ枠１２６が所望の傾斜角に調整された後、係合部１２６Ｂは対応するロック溝１４６Ａと係合して背もたれ枠１２６を適切な位置にロックできる。
【００２０】
図２を再び参照すると、第２座席枠１３４はケーシング１４２の第１側面１４２Ａに近接して配置可能である。第２座席枠１３４は結合要素１５８を備え、第２座席枠１３４の末端は当接部１５９を有する。１つの実施形態では、結合要素１５８は第２座席枠１３４に留め具（例えば、ネジ）で取り付けられてよい。別の実施形態では、結合要素１５８は第２座席枠１３４と一体で形成されてもよい。結合要素１５８は、第２座席枠１３４の長さ方向軸Ｙからずらして配置された細長いスロット１６０を持つ突出したハウジングとして形成されてもよい。枢軸１５０が結合要素１５８のガイドスロット１６０を貫通した状態で、結合要素１５８は保持ベース１４０の第１側面１４２Ａに接して配置されてよい。このように第２座席枠１３４を枢軸１５０とずれた位置で回動可能に結合することが出来る。また、第２座席枠１３４はその長さ方向軸Ｙに平行に第１又はロック位置と第２又はロック解除位置の間を移動可能である。
【００２１】
結合要素１５８の内部空洞にも第１端が枢軸１５０に接続され第２端が結合要素１５８に取り付けられたバネ要素１６２が設けられてよい。バネ要素１６２による弾性力が第２座席枠１３４を、第２座席枠１３４が適切にロックされ背もたれ枠１２６に対して独立には調整できない第１位置に向けて付勢する。ロック状態は第２座席枠１３４を該第１位置から該第２位置へ移動させることで解除可能である。第２座席枠１３４が該第２位置に移動した後、保持ベース１４０及び背もたれ枠１２６に対する回動軸Ｘの周りの第２座席枠１３４の回転が可能である。
【００２２】
図２に示すように、ケーシング１４２は回動軸Ｘを挟んで両側の位置に第１側面１４２Ａから突出した保持ブラケット１６４と支持ブラケット１６６とを更に備えてよい。より具体的には、保持ブラケット１６４は当接部１５９の回転経路の最も近くに配置されてよい。第２座席枠１３４を広げた位置に移動させると（図６に示す）、第２座席枠１３４はほぼ水平になり、支持ブラケット１６６と接触する。また、第２座席枠１３４の当接部１５９は、バネ要素１６２のバネ作用により保持ブラケット１６４と係合するよう駆動される。このため、第２座席枠１３４は子供を後向きに着座させるのに適合した広げた状態に保持される。
【００２３】
図３〜図６は背もたれ枠１２６及び第２座席枠１３４の典型的な調整を示す概略図である。図３を参照すると、背もたれ枠１２６と第２座席枠１３４は後向き着座位置が使用不可である構成になっている（即ち、幼児搬送装置１００は子供を前向きに着座させるのに適合している）。この構成では、背もたれ枠１２６は後方に傾斜し、係合部１２６Ｂはバネ要素１５４の付勢作用により１つのロック溝１４６Ａと係合する（図２に示す）。従って、背もたれ枠１２６を後方傾斜姿勢に確実に保持できる。また、第２座席枠１３４は背もたれ枠１２６に隣接してほぼ平行に折り畳まれ、バネ要素１６２の付勢作用のもと該第１位置にロックされる。第２座席枠１３４がこの第１位置にある時、ケーシング１４２の第１側面１４２Ａから突出した背もたれ枠１２６の係合部１２６Ｂは、第２座席枠１３４の移動経路をブロックする。特に、係合部１２６Ｂは、当接部１５９に当接して第２座席枠１３４の後方への回転を阻止する。また、背もたれ枠１２６の上部（即ち、回動軸Ｘより上に位置する）は第２座席枠１３４の上部（即ち、回動軸Ｘより上に位置する）と干渉し、第２座席枠１３４の前方への回転を阻止する。従って、第２座席枠１３４は背もたれ枠１２６に隣接した折り畳み位置にロックされる。後向き着座構成が使用不可になっているので、後部座席の偶発的な使用を効果的に防止できる。
【００２４】
図４を参照すると、背もたれ枠１２６を異なる後方傾斜姿勢に調整しようとする時、背もたれ枠１２６をその長さ方向軸Ｚに平行に引っ張って係合部１２６Ｂをロック溝１４６Ａから解放する（解放位置Ｐ２を破線で示す）必要がある。係合部１２６Ｂが解放位置Ｐ２にある時、バネ要素１５４（図２）は圧縮状態にある。この後、背もたれ枠１２６を回動軸Ｘの周りに所望の傾斜角へ回転させることが出来る。背もたれ枠１２６を調整する時、同時に第２座席枠１３４も駆動できる。即ち、背もたれ枠１２６が後方へ回転する時、背もたれ枠１２６の上部は第２座席枠１３４を押し、一方、背もたれ枠１２６が前方へ回転する時、背もたれ枠１２６の下部係合部１２６Ｂが第２座席枠１３４を押す。従って、背もたれ枠１２６を回動軸Ｘの周りに回転させる間、第２座席枠１３４は背もたれ枠１２６に隣接し平行な折り畳み位置にとどまることが出来る。背もたれ枠１２６が所望の位置に到達した後、バネ要素１５４は係合部１２６Ｂを対応するロック溝１４６Ａと係合するよう付勢し、背もたれ枠１２６を適切な位置（実線で示す）にロックする。このように、第２座席枠１３４は、前向き着座構成を調整する時、背もたれ枠１２６の回転と干渉しない便利な折り畳み位置にとどまることが出来る。
【００２５】
幼児搬送装置１００を調整して後向き着座構成を使用可能にしようとする時、背もたれ枠１２６と第２座席枠１３４とを別々に操作する必要がある。より具体的には、図５を参照すると、第２座席枠１３４を先ず図３に示す位置から図５に破線で示す第２位置Ｐ３へ長さ方向軸Ｙに平行に引っ張ることが出来る。第２座席枠１３４が第２位置Ｐ３に到達した後、第２座席枠１３４とその当接部１５９は、背もたれ枠１２６の係合部１２６Ｂの上方に位置しそれによるブロックから外れる。その後、第２座席枠１３４を支持ブラケット１６６に接触するまで回動軸Ｘの周りを後方へ回転させることが出来る。なお、第２座席枠１３４が回転する時、当接部１５９は係合部１２６Ｂを通り過ぎることが出来る。第２座席枠１３４は支持ブラケット１６６に接触した後、ほぼ水平になる。バネ要素１６２の付勢力は、当接部１５９が長さ方向軸Ｙに平行にスライドして保持ブラケット１６４と係合するよう駆動する。これにより第２座席枠１３４は背もたれ枠１２６から離れ広げた位置（実線で示す）に確実に保持され、後向き着座構成を使用可能にする。
【００２６】
次に図６を参照すると、係合部１２６Ｂをロック溝１４６Ａから解放するために背もたれ枠１２６を位置Ｐ５（破線で示す）へ長さ方向軸Ｚに平行に引っ張り、次に回動軸Ｘの周りを前方傾斜位置へ回転させることが出来る。背もたれ枠１２６が適切に調整された後、バネ要素１５４は係合部１２６Ｂを対応するロック溝１４６Ａと係合するよう付勢し、背もたれ枠１２６を適切な位置（実線で示す）に確実に保持する。図７に示したように、これにより子供を後向きに着座させるための構成に幼児搬送装置１００を切り替えることが出来る。
【００２７】
幼児搬送装置１００を図７に示す構成から図１に示す前向き着座構成へ切り替えようとする場合、背もたれ枠１２６と保持ベース１４０とのロック係合を先ず解除する必要がある。次に、背もたれ枠１２６を回動軸Ｘの周りを前方傾斜位置から後方傾斜位置へ回転させる。適切に調整された後、背もたれ枠１２６は保持ベース１４０とロック係合するよう付勢される。引き続き、広げた第２座席枠１３４をロック解除し背もたれ枠１２６に平行な折り畳み位置に回転させ、図１に示すように後向き着座構成を使用不可にする。
【００２８】
図８及び図９は後向き着座構成を容易にする追加の安全機構を例示する概略図である。より具体的には、図８は第２座席枠１３４が使用のために広げられた幼児搬送装置１００を示す。一方、図９は第２座席枠１３４が折り畳まれた幼児搬送装置１００を示す。図８に示すように、背もたれ枠１２６と第２座席枠１３４はそれぞれ、例えば布、発泡材などでできたクッション要素を備え、背もたれ部材２０２及び後部座席部材２０４を構成することが出来る。
【００２９】
背もたれ部材２０２の左及び右側端はそれぞれ、外部側面パネル２０６と内部側面パネル２０８とを備えてよい。１つの実施形態では、外部及び内部側面パネル２０６、２０８は柔軟な材料（例えば、布）でできていてよい。各外部側面パネル２０６は背もたれ部材２０２と押しハンドル１０８の間に接続されてよい。特に、外部側面パネル２０６は背もたれ部材２０２の一方の側端に取り付けられた第１縁と、押しハンドル１０８の側部に取り付けられた第２縁とを有してよい。
【００３０】
各内部側面パネル２０８を背もたれ部材２０２の側端及び後部座席部材２０４の側端に接続することが出来る。より具体的には、左側と右側それぞれで、内部側面パネル２０８と背もたれ部材２０２との接合領域は外部側面パネル２０６と背もたれ部材２０２との接合領域に隣接する。後部座席部材２０４に子供を乗せる時、外部及び内部側面パネル２０６、２０８の両方を側面寄掛り支持を提供するために使用できる。
【００３１】
後部座席部材２０４の折り畳み位置を背もたれ部材２０２に隣接させる（図１に示す構成に類似）ために、容易に操作可能な留め具２１０を後部座席部材２０４と外部側面パネル２０６の間に設けることが出来る。１つの実施形態では、留め具２１０はVelcro（登録商標）テープを使用し、第１及び第２留め部材２１２、２１４を含む。第１留め部材２１２（破線で示す）は各外部側面パネル２０６の内側に設けられ、第２留め部材２１４は後部座席部材２０４の底に設けられてよい。なお、Velcroテープではなく他の種類の留め具、例えばバックルシステム、フック留め具、磁石留め具などが適切である場合がある。
【００３２】
図８に示すように、後向き着座構成を使用可能にする時、後部座席部材２０４は下方へ広げられる。左側と右側それぞれで外部及び内部側面パネル２０６、２０８は概ね平行に伸ばされ、内部側面パネル２０８は第１留め部材２１２を覆う。
【００３３】
図９に示すように、使用しない時、後部座席部材２０４を背もたれ部材２０２に隣接する位置へ折り畳むことが出来る。後部座席部材２０４の折り畳み位置において、内部側面パネル２０８は背もたれ部材２０２の面上に折り畳まれる。これにより内部側面パネル２０８は背もたれ部材２０２と後部座席部材２０４の間にほぼ挟まれ、第１留め部材２１２は露出される。次に第２留め部材２１４を後部座席部材２０４の側端の周りに巻き、第１留め部材２１２に取り付けることが出来る。従って、後部座席部材２０４は折り畳み位置に固定される。
【００３４】
図８及び図９に例示した安全機構は、図２を参照して前述した構成と一緒に使用するのに適していることは理解されよう。
【００３５】
本明細書で説明した幼児搬送装置の少なくとも１つの利点は、背もたれ組立体と座席組立体とを操作性よく容易にかつ便利に調整できることである。第１座席枠が使用される時、便利にも第２座席枠は該背もたれに隣接して折り畳まれ、後向き着座構成を使用不可にする。これにより第２座席枠の誤った使用を防止できる。
【００３６】
本発明の実施を特定の実施形態だけを用いて説明した。これらの実施形態は限定ではなく例示するよう意図されている。多くの変形、変更、追加、及び改善が可能である。従って、単一の例として説明した構成要素について複数の例がありうる。代表的な構成において個々の構成要素として提示した構造と機能は、結合された構造又は構成要素として実現されてもよい。これら及び他の変形、変更、追加、及び改善も添付の請求項によって定義される本発明の範囲に入る。
【符号の説明】
【００３７】
１００  幼児搬送装置
１０２  支持フレーム
１０４  座席組立体
１０５  背もたれ組立体
１０８  押しハンドル
１１０  肘かけ
１１２  前脚
１１４  後脚
１１６  車輪
１２６  背もたれ枠
１２６Ｂ  係合部
１３２  第１座席枠
１３４  第２座席枠
１４０  保持ベース
１５０  枢軸
【図１】
2011143920.tif 000003
【図２】
2011143920.tif 000004
【図３】
2011143920.tif 000005
【図４】
2011143920.tif 000006
【図５】
2011143920.tif 000007
【図６】
2011143920.tif 000008
【図７】
2011143920.tif 000009
【図８】
2011143920.tif 000010
【図９】
2011143920.tif 000011
【外国語明細書】
2011143920000001.pdf